(57)【要約】【課題】傾斜屋根における凸部の強度を損なうことなく、簡易取付が可能な、雪の結晶体を受け止めるユニット構造の落雪・すが漏れ防止装置及びこのための取付金具を提供する。【解決手段】傾斜面を横断する方向に凹凸が形成されている傾斜屋根１０における落雪・すが漏れ防止装置１であって、複数の棒材２２により格子状に形成され、前記傾斜屋根１０の前記傾斜面に沿って配置された複数のフレームユニット２０と、該複数のフレームユニット２０を互いに接合し、前記傾斜屋根の凸部１２に配置された接合部２５とを備え、前記接合部２５は、一体となって前記棒材２２を把持する、上側把持部材２７と下側把持部材２９とを含み、該下側把持部材２９は、さらに前記凸部１２の外側面形状に倣った当接面を備えることを特徴とする。【選択図】        図１
2004308140.tif 000002
【特許請求の範囲】
【請求項１】
傾斜面を横断する方向に凹凸が形成されている傾斜屋根における落雪・すが漏れ防止装置であって、
複数の棒材により格子状に形成され、前記傾斜屋根の前記傾斜面に沿って配置された複数のフレームユニットと、
該複数のフレームユニットを互いに接合し、前記傾斜屋根の凸部に配置された接合部と
を備え、
前記接合部は、一体となって前記棒材を把持する、上側把持部材と下側把持部材とを含み、該下側把持部材は、さらに前記凸部の外側面形状に倣った当接面を備えることを特徴とする落雪・すが漏れ防止装置。
【請求項２】
前記上側把持部材は、前記凸部の上側に延在する、前記傾斜面と平行な支持面をさらに備えることを特徴とする請求項１に記載の落雪・すが漏れ防止装置。
【請求項３】
前記フレームユニットは、熱伝導体で形成されていることを特徴とする請求項１または２に記載の落雪・すが漏れ防止装置。
【請求項４】
前記傾斜屋根は、折板形式の屋根であって、頂部から軒先までが、５０〜１００ｍであることを特徴とする請求項１ないし３のいずれかに記載の落雪・すが漏れ防止装置。
【請求項５】
折板型式の傾斜屋根のハゼ部間に延在する部材を取り付ける取付金具であって、
該取付金具は、前記ハゼ部に配置され、前記ハゼ部間に延在する部材を傾斜面に垂直な方向に一体となって把持する、上側把持部材と下側把持部材とを含み、該下側把持部材は、さらに前記ハゼ部の外側面形状に倣った当接面を備えることを特徴とする取付金具。
【請求項６】
前記上側把持部材は、前記ハゼ部の上側に延在する、前記傾斜面と平行な支持面をさらに備えることを特徴とする請求項５に記載の取付金具。
【発明の詳細な説明】
【０００１】
【発明の属する技術分野】
本発明は、傾斜屋根における落雪・すが漏れ防止装置及びその取付金具に関し、特に、折板形式の勾配が緩やかな傾斜屋根に好適な落雪・すが漏れ防止装置及び取付金具に関する。
【０００２】
【従来の技術】
一般に、多雪地域においては、自然融雪が可能なよう積雪を一旦谷部に蓄積するため、深い谷部（高い山部）を有し、勾配の緩やかな傾斜屋根が採用されている。こうした傾斜屋根の軒先谷部には、雪塊（雪ぴ）が発生しやすく、落雪による物品の破壊や、軒下の通行人に対する被害といった危険が生じる。また、軒先などに積もった雪が融解と凍結とを繰り返して氷堤を形成した場合、昼間の気温の上昇や室内の温度によって屋根に積もった雪が溶け、そこに水がたまってしまう。このたまり水の水圧や毛細管現象により、屋根の内側に水がまわりこみ、雨漏りを引き起こす、いわゆるすが漏れ現象が生じる場合もある。
【０００３】
こうした問題に対しては、屋根に落雪防止のための雪止めを設置したり、さらに、降雪が谷部に詰まって氷堤を形成しないように金属等のネットを設けたり、パネル等を敷設するといった対策が講じられている。
【０００４】
例えば、家屋の傾斜屋根の上面に沿って、網を設置した落雪防止装置が提案されている（例えば、特許文献１参照）。
【０００５】
【特許文献１】
特開２００３−４９５１３号公報
【０００６】
【発明が解決しようとする課題】
しかしながら、前述の特許文献に開示された落雪防止装置においては、係止金具を傾斜屋根の凸部に引っ掛けて金網を支持する構成が取られており、金網に堆積した雪の荷重を傾斜屋根の凸部により支持する構造となっていた。また、その他の従来の一般的な落雪やすが漏れを防止する金網の設置についても、傾斜屋根の凸部に直接溶接や、ボルト締めにより固定する方法が取られていた。
【０００７】
これらは、いずれも金網に堆積した積雪荷重が傾斜屋根の凸部に直接重畳される構成となっており、傾斜屋根の耐荷重性能を損なう虞が生じていた。
【０００８】
このことは、特に、多雪地域特有の深い谷部（高い山部）を有し、屋根勾配が緩やかな折板型式の傾斜屋根においては、折板ハゼ部に過大な積雪荷重が加えられることとなり、顕著な問題を生じていた。
【０００９】
そこで、本発明は上記のような従来技術の問題点に鑑みて、傾斜屋根における凸部の強度を損なうことなく、簡易取付が可能な、雪の結晶体を受け止めるユニット構造の落雪・すが漏れ防止装置及びこのための取付金具を提供することを目的とする。
【００１０】
【課題を解決するための手段】
上記目的を達成するために、本発明の落雪・すが漏れ防止装置は、傾斜面を横断する方向に凹凸が形成されている傾斜屋根における落雪・すが漏れ防止装置であって、複数の棒材により格子状に形成され、前記傾斜屋根の前記傾斜面に沿って配置された複数のフレームユニットと、該複数のフレームユニットを互いに接合し、前記傾斜屋根の凸部に配置された接合部とを備え、前記接合部は、一体となって前記棒材を把持する、上側把持部材と下側把持部材とを含み、該下側把持部材は、前記凸部の側面形状に倣った当接面を備えることを特徴とする落雪・すが漏れ防止装置。
【００１１】
このように構成した本発明の落雪・すが漏れ防止装置においては、フレームユニットが、接合部の上側把持部材と下側把持部材とにより、斜面に垂直な方向に固定把持されると共に、折板山部の平坦な強度部材により実質的に支持され、下側把持部材の傾斜屋根凸部の側面形状に倣った当接面により横断方向に当接支持される。これにより、フレームユニットを既設の傾斜屋根に簡易に取り付けることが可能であり、フレームユニットの積雪荷重が、傾斜屋根凸部に直接加えられることがないので、傾斜屋根の耐荷重性能を向上させることができる。
【００１２】
また、前記上側把持部材は、前記凸部の上側に延在する、前記斜面と平行な支持面をさらに備えてもよい。
【００１３】
このように構成した場合は、上側把持部材に設けた支持面により、傾斜屋根の耐荷重性能を損なうことなく、パネル状部材を簡易に取り付けることができる。
【００１４】
さらに、前記フレームユニットは、熱伝導体で形成されていてもよい。
【００１５】
この場合は、発熱源からの熱伝達を効率よく実施することができ、強制融雪のシステムをより簡易に安価に実現することができる。
【００１６】
さらにまた、前記傾斜屋根は、折板形式の屋根であって、頂部から軒先までが、５０〜１００ｍであってもよい。
【００１７】
この場合は、深い谷部と緩斜面を有する多雪地帯に特有の傾斜屋根における、より好適な落雪・すが漏れ防止装置の提供が可能となる。
【００１８】
本発明の取付金具は、折板型式の傾斜屋根のハゼ部間に延在する部材を取り付ける取付金具であって、該取付金具は、前記ハゼ部に配置され、前記ハゼ部間に延在する部材を傾斜面に垂直な方向に一体となって把持する、上側把持部材と下側把持部材とを含み、該下側把持部材は、さらに前記ハゼ部の側面形状に倣った当接面を備えることを特徴とする。
【００１９】
このように構成した本発明の取付金具においては、ハゼ部間に延在する部材が、取付金具の上側把持部材と下側把持部材とにより、斜面に垂直な方向に固定把持されると共に、下側把持部材のハゼ部の側面形状に倣った当接面により横断方向に当接支持されるため、既設の折板型式のハゼ部間に亘って部材を簡易に取り付けることが可能であり、ハゼ部間に延在する部材に加えられた荷重が、ハゼ部に直接加えられることがないので、折板型式の傾斜屋根の耐荷重性能を向上させることができる。
【００２０】
また、前記上側把持部材は、前記ハゼ部の上側に延在する、前記傾斜面と平行な支持面をさらに備えてもよい。
【００２１】
このように構成した場合は、上側把持部材に設けた支持面により、折板型式の傾斜屋根の耐荷重性能を損なうことなく、パネル状部材を簡易に取り付けることができる。
【００２２】
【発明の実施の形態】
以下図面を参照して、本発明の実施の形態について、詳細に説明する。
【００２３】
まず、本発明の第一の実施形態について、図１〜図３を用いて説明する。
【００２４】
図１は、本発明の第一の実施形態に係る落雪・すが漏れ防止装置の取り付け状態を示す斜視図であり、図２（ａ）は取り付け状態を示す平面図、（ｂ）は取り付け状態を示す側面図である。また、図３は、本発明の第一の実施形態に係る落雪・すが漏れ防止装置の接合部の詳細を示す図であり、（ａ）は平面図、（ｂ）は側面図である。
【００２５】
図１及び図２に示されるように、本実施形態に係る落雪・すが漏れ防止装置１は、傾斜面を横断する方向（以下、幅方向と称する）に凹凸が形成されている折板型式の傾斜屋根１０の凸部１２（以下、山部と称する）間に、凹部１４（以下、谷部と称する）を横断するように、フレーム２０が配置されている。このフレーム２０は棒材２２から格子状に形成されたユニット構造であり、山部１２の頂部に形成されたタイトフレーム等で補強された強度部材である平板部１２Ｕに配置された接合部２５により互いに接合されている。この接合部２５は、図３に詳細に示されるように、上側把持部材２７と、下側把持部材２９とから構成され、下側把持部材２９は、複数の（例えば、２本）斜面方向に延在する棒材２２を把持するために、幅方向の凹部２９Ｄと、この凹部２９Ｄの中央部分に楕円状のボルト穴２９Ｈが形成されている把持部２９Ｇと、山部１２の頂部に略円筒形状に形成されている折板屋根のハゼ部１２Ｒの側面形状に倣った当接面２９Ｓを有し、幅方向断面が略半円状である当接部２９Ｐとを備えている。
【００２６】
また、上側把持部材２７は、下側把持部材２９の把持部２９Ｇと対向し、凹部２９Ｄに対応する凸部２７Ｄ及びボルト穴２９Ｈに対応する楕円状のボルト穴２７Ｈを有する把持部２７Ｇを備えている。また、傾斜屋根１０の斜面方向端部（軒先部）においては、図１に示されるように、谷部１４の開口部を覆うように、フレームユニット２０を折り曲げた端部ユニット２０Ｅで構成することができる。
【００２７】
ここで、図２に示されるように、多雪地域用には、傾斜屋根１０の山部１２及び谷部１４によって形成される空間の断面形状に沿った補強枠体３０を、さらに設けても良い。
【００２８】
このように構成した落雪・すが漏れ防止装置１においては、フレームユニット２０を構成する複数の棒材２２が接合部２５の把持部２７Ｇ、２９Ｇに配置され、ボルト穴２７Ｈ、２９Ｈを介して、ボルト及びナットで締結されることにより、斜面に垂直方向に固定把持されると共に、山部１２の強度部材である平板部１２Ｕによって支持される。さらに幅方向には、下側把持部材２９の当接部２９Ｓによって山部１２のハゼ部１２Ｒに当接支持されるので、フレームに加わる積雪荷重が、強度部材である平板部１２Ｕによって実質的に負担され、これにより、過重な積雪荷重がハゼ部１２Ｒに直接加わらないため、傾斜屋根１０の山部１２の耐荷重性能を損なうことがない。また、上側把持部材２７及び下側把持部材２９に形成されたボルト穴２７Ｈ、２９Ｈにより、フレームユニット２０を把持した状態での幅方向の位置調整が可能であるので、既設の折板屋根へのフレームユニット２０の取り付けが容易に実現できる。また、端部ユニット２０Ｅにより、落雪の防止や雨樋への流水路を確保すると共に、鳥等の谷部１４への侵入を防ぐこともできる。
【００２９】
さらに、降雪地域の降雪量、雪質に応じて、フレームユニット２０の棒材２２の径、ピッチ、材質等を適宜に選定することにより、雪質に応じた雪の結晶体を受け止めるためのフレームユニット２０の設置が可能となる。これにより、谷部１４への雪詰まり、雪ぴ、氷柱、すが漏れ等の発生を防止することができ、地域の特性に応じた落雪・すが漏れ防止装置を実現することができる。棒材２２の材質としては、例えば、鉄、ステンレス、アルミ等の金属や、セラミック、強化樹脂といった強度部材で構成することができる。また、フレームユニット２０を良好な伝熱性を有する上記各種金属や、合金等で構成し、不図示の発熱源と接続することにより、いわゆる強制融雪システムの効率的な構築が容易に実現できる。
【００３０】
ここで、傾斜屋根の幅方向端部においては、例えば図４に示されるような端部取付金具４０により、雨押さえ板４２のような構造部材にボルト等で固定することができる。さらに、２段屋根のように、高さの異なる傾斜屋根が連設されている場合には、高さの高い屋根に隣接する高さの低い屋根の端部においては、フレームユニット２０の斜面方向の長さを、他の幅方向に配置されているフレームユニット２０の斜面方向の長さよりも、長くして設置することが好ましい。これにより、隣接する高い屋根から低い屋根に落雪した場合でも、低い屋根に重畳して堆積される積雪荷重の影響を軽減することができる。
【００３１】
このように、フレーム２０は、ユニット構造であるため、上述のような既設の傾斜屋根の構成に応じてレイアウトの変更を容易に行うことができ、また、従来の雪止め金具等との併設も容易である。
【００３２】
次に、本発明に係る落雪・すが漏れ防止装置の上側把持部材の第二の実施形態について説明する。
【００３３】
この実施形態における上側把持部材２７Ａは、先の実施形態における上側把持部材２７に比し、図５に示されるように、ハゼ部１２Ｒを介して互いに対向している２つの下側把持部材２９間に亘って、ハゼ部１２Ｒの上部を超えて延在し、頂部において斜面に平行な支持面２７Ｓを有している台形状の支持部２７Ｐを備えている。
【００３４】
このように構成した場合には、前述の実施形態に加えて、さらに、上側把持部材２７Ａが支持面２７Ｓを備えているので、支持面２７Ｓに容易に、看板や太陽光発電パネル等のパネル状部材を取り付けることができ、宣伝広告部材の簡易な設置や、いわゆる強制融雪装置の簡易な施工が可能となる。
【００３５】
例えば、上側把持部材２７Ａの支持面２７Ｓに、発熱体である発電パネルを設置し、良電熱材で構成したフレームユニット２０と組み合わせることにより、強制融雪システムの構築が、より安価に簡易に実現可能となる。
【００３６】
なお、本発明の落雪・すが漏れ防止装置は、上述の実施形態に限定されるものではないが、落雪や、すが漏れ等が特に問題となる多雪地帯に特有の傾斜屋根であって、頂部から軒先までの距離が、例えば、５０〜１００ｍである緩やかな屋根勾配と、ハゼ部を有する折板型式の傾斜屋根に好適である。
【００３７】
【発明の効果】
以上説明したとおり、本発明によれば、傾斜屋根における凸部の強度を損なうことなく、簡易に取り付けることができる雪の結晶体を受け止めるためのユニット構造の落雪・すが漏れ防止装置及びこのための取付金具を実現することが可能となる。
【図面の簡単な説明】
【図１】本発明の第一の実施形態に係る落雪・すが漏れ防止装置の取り付け状態を示す斜視図である。
【図２】本発明の第一の実施形態に係る落雪・すが漏れ防止装置の取り付け状態を示す平面図（ａ）及び側面図（ｂ）である。
【図３】本発明の第一の実施形態に係る落雪・すが漏れ防止装置の接合部の詳細を示す図であり、（ａ）は平面図、（ｂ）は側面図である。る。
【図４】本発明の落雪・すが漏れ防止装置の傾斜屋根の幅方向端部における取り付け状態を示す断面図である。
【図５】本発明の落雪・すが漏れ防止装置に係る接合部の上側把持部材の別の実施形態を示す図である。
【符号の説明】
１        落雪・すが漏れ防止装置
１０      傾斜屋根
１２Ｒ    ハゼ部
１２      凸部（山部）
１２Ｕ    平板部
１４      凹部（谷部）
２０      フレームユニット
２２      棒材
２５      接合部
２７      上側把持部材
２７Ａ    上側把持部材
２７Ｄ    凸部
２７Ｓ    支持面
２７Ｇ    把持部
２９      下側把持部材
２９Ｄ    凹部
２９Ｓ    当接部
２９Ｇ    把持部
３０      補強枠体
４０      端部取付金具
【図１】
2004308140.tif 000003
【図２】
2004308140.tif 000004
【図３】
2004308140.tif 000005
【図４】
2004308140.tif 000006
【図５】
2004308140.tif 000007